(57)【要約】【課題】高輝度の光線を均一に出射する導光板を提供する。【解決手段】全体の形状が楔状に形成し、かつ外部に設ける光源に対応する側に設けられる入光面と、一端において稜線の高さが低く、形成されるＶ字状溝が浅く、かつ他端に向かって稜線が徐々に高くなり、その端縁部において稜線の高さが最も高くなり、形成されるＶ字状溝が最も深くなるプリズムを複数形成した反射面と、出光面と、反入光面とを形成する。【選択図】図３
2008016247.tif 000002
【特許請求の範囲】
【請求項１】
外部に設ける光源に対応する側に設けられる入光面と、
一端において稜線の高さが低く、形成されるＶ字状溝が浅く、かつ他端に向かって稜線が徐々に高くなり、その端縁部において稜線の高さが最も高くなり、形成されるＶ字状溝が最も深くなるプリズムを複数形成した反射面と、
出光面と、
反入光面とを具えてなり、
全体の形状が楔状に形成されることを特徴とする導光板。
【請求項２】
前記プリズムの稜線の低い一端が該入光面に接続し、他端が該反入光面に接続することを特徴とする請求項１に記載の導光板。
【請求項３】
前記プリズムの稜線の低い一端と該入光面との間に所定のピッチを形成し、他端が該反入光面に接続することを特徴とする請求項１に記載の導光板。
【発明の詳細な説明】
【技術分野】
【０００１】
この発明は導光板に関し、特にバックライトに用いられ、均一な光線の反射が得られる導光板に関する。
【背景技術】
【０００２】
バックライトモジュールは液晶パネルに用いられ、反射する光線を要求される一定の値に基づいて均一化し、かつ輝度を高める作用を有する。よって、液晶表示パネルは十分な画像表示の効果を得ることができる。
【０００３】
図１に従来のバックライトを開示する。図面によれば、従来のバックライトモジュールは導光板１１と、反射シート１２と、複数の光学フィルム１３と、及び光源１４を含み構成される。
【０００４】
導光板１１は少なくとも入光面１１１と、反射面１１２と、出光面１１３とを具える。入光面１１１は光源１４から照射される光線を受けて導光板１１の内部に導く作用を具える。反射面１１２は光線を反射して光源の進行方向を変化させる作用を有する。しかも、反射面１１２には大量の導光ドット１１２１を形成する。導光ドット１１２１は全反射が発生する条件を阻害し、光線を均一に反射させる作用を有する。出光面１１３は導光板１１に入射し、反射した光線を外部に出力するものである。
【０００５】
反射シート１２は導光板１１から外部に漏れる光線を反射して導光板１１内に戻すために、導光板１１の反射面１１２の外表面に平坦になるよう設ける。
【０００６】
複数の光学フィルム１３は導光板１１の出光面１１３の外表面に設ける。これら光学フィルム１３は光線を散乱させる光拡散フィルム１３１と、光線をフォーカスするプリズムシート１３２とを含む。これらフィルムは実際の状況に応じて使用する枚数と、その組み合わせを変更して設ける。プリズムシート１３２の表面には微小なプリズム１３２１を複数形成し、且つ上下に重なり合うプリズムシート１３２は、上下それぞれのプリズムシート１３２に形成されるプリズム１３２１の稜線が互いに直交するように設け、光線のそれぞれの方向に対するフォーカスの効果が高まるようにする。
【０００７】
バックライトモジュール１に入射する光線は、そのほとんどが光源１４から供給される。光源１４は、導光板１１の入光面１１１側の外部に設ける。その使用する数は製品の仕様に合わせて調整する。
【０００８】
上述するバックライトモジュール１は、2枚のプリズムシート１３２を設けることによって光線の効率的なフォーカスを達成することができる。但し、プリズムシート１３２は、世界各国においても製造能力を有するメーカーが少なく、供給量が多くない。しかも、往々にして多項目にわたる特許権の保護を受けている。このため価格が極めて高いのみならず、価格が低下する傾向すらない。
【０００９】
最近に至り、別途高輝度の反射光線を出射するバックライトモジュールが開発された。図２に開示するバックライトモジュールには導光板２１と、反射フィルム２２と、プリズムシート２３と、光拡散フィルム２４と、光源２５とを含み構成される。
【００１０】
導光板２１は、楔状を呈し、入光面２１１と、反射面２１２と、出光面２１３とを有する。入光面２１１は光源２５から照射される光線を受ける作用を有し、反射面２１２は光線を反射する作用を有し、出光面２１３は導光板２１の内部の光線を外部へ出射する作用を有する。該反射面２１２は複数に配列したプリズム２１２１を具えてなる。よって、光線がプリズム２１２１に照射されると、プリズム２１２１の作用で光線が反射されてフォーカスされる。導光板２１から照射された光線はプリズムシート２３上のプリズム２３１により別の方向に光線がフォーカスされるため、光線のそれぞれの方向に対してフォーカスの効果が高められる。
【００１１】
導光板２１は楔状を呈し、傾斜した反射面２１２を有し、且つ反射面２１２にフォーカス効果を有するプリズム２１２１を複数形成する。
【００１２】
プリズムシート２３は、１枚だけでよく、このためバックライトモジュール２から出射する光線は、従来の平板状の導光板を用いたバックライトモジュールに比して輝度が高くなる。このため、係る構造は業者の注目を集めている。
【００１３】
但し、反射面２１２に形成するプリズム２１２１は、光線のフォーカス効果を具え、導光板２１全体から出射する光線の輝度を高めることができるが、入光面２１１に近接した部分は比較的強い光エネルギーを受けるため、係る強い光線がプリズム２１２１によってフォーカスされ反射すると、明るい領域が容易に発生する。係る現象は表示装置における画像表示不良を発生させる。よって、改善が望まれている。
【発明の開示】
【発明が解決しようとする課題】
【００１４】
この発明は高輝度の光線を均一に出射する導光板を提供することを課題とする。
【課題を解決するための手段】
【００１５】
そこで、本発明の発明者は従来の技術に見られる欠点に鑑みて鋭意研究を重ねた結果、外部に設ける光源に対応する側に設けられる入光面と、一端において稜線の高さが低く、形成されるＶ字状溝が浅く、かつ他端に向かって稜線が徐々に高くなり、その端縁部において稜線の高さが最も高くなり、形成されるＶ字状溝が最も深くなるプリズムを複数形成した反射面と、出光面と、反入光面とを具えてなり、全体の形状が楔状に形成されることを特徴とする導光板の構造によって課題を解決できる点に着眼し、かかる知見に基づいて本願発明を完成させた。
【００１６】
以下、この発明について具体的に説明する。
請求項１に記載する導光板は、外部に設ける光源に対応する側に設けられる入光面と、一端において稜線の高さが低く、形成されるＶ字状溝が浅く、かつ他端に向かって稜線が徐々に高くなり、その端縁部において稜線の高さが最も高くなり、形成されるＶ字状溝が最も深くなるプリズムを複数形成した反射面と、出光面と、反入光面とを具えてなり、全体の形状が楔状に形成される。
【００１７】
請求項２に記載する導光板は、請求項１におけるプリズムの稜線の低い一端が該入光面に接続し、他端が該反入光面に接続することを特徴とする請求項１に記載の導光板。
【００１８】
請求項３する導光板は、請求項１におけるプリズムの稜線の低い一端と該入光面との間に所定のピッチを形成し、他端が該反入光面に接続する。
【発明の効果】
【００１９】
この発明による導光板は、好ましいフォーカス効果が得られ、高い輝度の反射光線が得られるとともに、反射光線が均一に分布するため、画像表示装置において明暗のむらなどの画像表示不良を効率良く解消できるという利点を有する。
【発明を実施するための最良の形態】
【００２０】
この発明は、バックライトに用いられ、均一な光線の反射が得られる導光板を提供するものであって、外部に設ける光源に対応する側に設けられる入光面と、一端において稜線の高さが低く、形成されるＶ字状溝が浅く、かつ他端に向かって稜線が徐々に高くなり、その端縁部において稜線の高さが最も高くなり、形成されるＶ字状溝が最も深くなるプリズムを複数形成した反射面と、出光面と、反入光面とを具えてなり、全体の形状を楔状に形成する。
かかる構成の導光板について、その構造と特徴を詳述するために、具体的な実施例を挙げて以下に説明する。
【実施例】
【００２１】
図３に開示するように、この発明の導光板３は好ましい透過性を有する材質を楔状の板体に形成してなり、入光面３１と、反射面３２と、出光面３３と、反入光面３４とを具える。入光面３は外部に設ける光源４に対向する側に形成される。反射面３２は傾斜して形成され、表面に複数のプリズム３２１を形成する。
【００２２】
プリズム３２１は入射面３１に対して垂直に稜線が延伸するよう形成する。また、プリズム３２１は起点３２１１から末端３２１２の高さ（深さ）を均等に形成することなく、起点３２１１では稜線の高さを低くし、Ｖ字状の溝を浅くし、末端３２１２に向かって稜線の高さが徐々に高く、Ｖ字状の溝が深くなるように形成する。さらに、プリズム３２１は起点３２１１が導光板３の入光面３１に接続し、末端３２１２が反入光面３４に接続する。
【００２３】
図４に開示するように、導光板３の入光面３１は、光源４から照射される光線を受けて導光板３の内部の遠方へ光線を導く。また、導光板３の反射面３２は傾斜し、且つ複数のプリズム３２１を緊密に分布させて形成するため、光線が照射されると、プリズム３２１のプリズム面３２１３がフォーカスと反射を行い、光線を出光面３３の方向に導く。この場合、プリズムは起点３２１１において稜線の高さが低く、Ｖ字状の溝が浅く形成されているため、起点３２１１付近に形成されるプリズム面３２１３は面積が比較的狭くなる。プリズム面３２１３の面積が小さいほど光線をフォーカスされる光エネルギーが弱くなる。よって、かかる領域で反射して出光面３３に至る光線は、画像表示装置に明るい領域を発生させてむらを形成することがない。
【００２４】
また、光線は入光面３１から離れるにつれて減衰する。この場合、プリズム３２１は末端３２１２に近づくにつれて稜線が高く、Ｖ字状の溝が深くなるように形成されるため、プリズム面３２１３の面積が徐々に広くなる。プリズム面３２１３の面積が広くなると光線を補強して出光面３３に反射するため、導光板３は、全体的に光線を均一に反射することができる。
【００２５】
また、図５に開示するように、この発明のプリズム３２１の起点３２１１は導光板３の入光面３１に接続しないように形成し、反射面３２上の入光面３１から適宜なピッチをおいてプリズム３２１を形成してもよい。この場合、入光面３１０に光線が反射すると、フォーカスされる光エネルギーが発生しない部分から発生する部分に至り、徐々に増強される。このため、明るい領域の発生を有効に抑えることができる。
【００２６】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００２７】
【図１】従来のバックライトモジュールの構造を示した説明図である。
【図２】楔状導光板を用いた  従来のバックライトモジュールの構造を示した説明図である。
【図３】この発明による導光板を示した説明図である。
【図４】この発明による導光板における光線の作用を示した説明図である。
【図５】他の実施形態による導光板を示した説明図である。
【符号の説明】
【００２８】
１                     バックライトモジュール
１１                  導光板      
１１１                            入光面
１１２                            反射面
１１２１              導光ドット  
１１３                            出光面    
１２                  反射シート      
１３                  光学フィルム      
１３１                            光拡散フィルム    
１３２                            プリズムシート
１３２１              プリズム    
１４                  光源      
２                     バックライトモジュール        
２１                  導光板      
２１１                            入光面    
２１２                            反射面    
２１２１              プリズム  
２１３                            出光面    
２３                  プリズムシート      
２３１                            プリズム    
２４                  光拡散フィルム      
２５                  光源      
３                     導光板        
３１                  入光面      
３２                  反射面      
３２１                            プリズム    
３２１１              起点  
３２１２              末端  
３２１３              プリズム面  
３３                  出光面      
３４                  反射入光面      
４                             
【図１】
2008016247.tif 000003
【図２】
2008016247.tif 000004
【図３】
2008016247.tif 000005
【図４】
2008016247.tif 000006
【図５】
2008016247.tif 000007